(57)【要約】【課題】容易に機器間の連携動作を互換性を向上させることができる電子機器を提供する。【解決手段】電子機器１０において、記憶装置１５にコマンド送信の結果接続先が対応しているか否かが記憶されている癖情報を蓄積しておき、連携制御部１２が、記憶装置１５に蓄積されている接続先である電子機器４０の癖情報に基づいて、通信装置１１に電子機器４０との連携動作を行わせる。【選択図】図１
2015130020.tif 000002
【特許請求の範囲】
【請求項１】
外部機器と接続する接続部と、
前記接続部から前記外部機器への電気信号の送信結果に関する情報である送信結果情報を蓄積する記憶部と、
前記記憶部に蓄積されている前記送信結果情報に基づいて、前記接続部に前記外部機器への前記電気信号の送信を行わせる制御部と、
を備えていることを特徴とする電子機器。
【請求項２】
前記記憶部には、前記電気信号の送信が成功または失敗を示す情報が前記送信結果情報として蓄積されていることを特徴とする請求項１に記載の電子機器。
【請求項３】
前記記憶部には、前記電気信号の送信タイミングを示す情報が前記送信結果情報として蓄積されていることを特徴とする請求項２に記載の電子機器。
【請求項４】
前記記憶部が蓄積している前記送信結果情報の量を表示する表示部を備えていることを特徴とする請求項１乃至３のうちいずれか一項に記載の電子機器。
【請求項５】
前記記憶部には、前記外部機器の種別ごとに前記送信結果情報が蓄積されていることを特徴とする請求項１乃至４のうちいずれか一項に記載の電子機器。
【請求項６】
外部機器と接続する接続部を備える電子機器の制御方法において、
前記接続部から前記外部機器への電気信号の送信結果に関する情報である送信結果情報を記憶部に蓄積する記憶工程と、
前記記憶工程で蓄積した前記送信結果情報に基づいて、前記接続部に前記外部機器との前記電気信号の送信を行わせる制御工程と、
を備えていることを特徴とする電子機器の制御方法。
【請求項７】
請求項６に記載の電子機器の制御方法を、コンピュータにより実行させることを特徴とする電子機器の制御プログラム。
【請求項８】
請求項７に記載の電子機器の制御プログラムを格納したことを特徴とするコンピュータ読み取り可能な記録媒体。
【発明の詳細な説明】
【技術分野】
【０００１】
本発明は、外部機器と接続されて、その外部機器と連携動作することができる電子機器に関する。
【背景技術】
【０００２】
近年、パーソナルコンピュータ（ＰＣ）やタブレット端末などの情報通信機器、カーナビゲーションシステムなどの車載機器、およびスマートフォンや携帯音楽プレーヤなどの携帯機器などは、ＵＳＢ（Universal Serial Bus）やＢｌｕｅｔｏｏｔｈ（登録商標）などのインターフェースによって互いに接続することで、データの共有や、音楽、動画の再生などの連携動作を行うことができる。
【０００３】
この連件動作の具体例としては、ＰＣとスマートフォンを接続して電話帳や写真データを同期させたり、カーナビゲーションシステムに携帯音楽プレーヤを接続してカーナビゲーションシステムを介して車両内で音楽を再生したりすることなどが挙げられる。
【０００４】
上述したような連携動作において、接続動作時のエラーや機器の不具合等により互換性が低くなり連携動作が正常に動作しないことがある。
【０００５】
例えば、特許文献１には、ＵＳＢのエニュメレーション中に発生するエラーを解消するために、記憶されているディスクリプタ情報を、エラー発生タイミング毎に予め記憶してある対策データを使用して、自動的に変更するようにし、さらに自己の処理によってソフトリセットを行うことが提案されている。
【先行技術文献】
【特許文献】
【０００６】
【特許文献１】特開２００６−１８５０１２号公報
【発明の概要】
【発明が解決しようとする課題】
【０００７】
特許文献１の方法の場合、予めエラーのタイミングに応じた対策データが記憶されているので、そのタイミング以外のエラーや対策データが無い場合は正常動作させることができない。また、ＵＳＢのエニュメレーションの限定された技術であり、例えば、音楽再生や電源のＯＮ／ＯＦＦといった接続確立後の様々な連動動作に対応させるためには、それぞれの機能のタイミングごとに予め対策データを記憶させる必要がある。そのため、機能追加や対応機器の増加等に伴い初期状態よりも互換性を向上させるためには対策データの更新が必要となりユーザ等にとって煩わしく感じる。
【０００８】
そこで、本発明は、上述した問題に鑑み、例えば、容易に機器間の連携動作の互換性を向上させることができる電子機器を提供することを課題とする。
【課題を解決するための手段】
【０００９】
上記課題を解決するために、請求項１に記載の発明は、外部機器と接続する接続部と、前記接続部から前記外部機器への電気信号の送信結果に関する情報である送信結果情報を蓄積する記憶部と、前記記憶部に蓄積されている前記送信結果情報に基づいて、前記接続部に前記外部機器への前記電気信号の送信を行わせる制御部と、を備えていることを特徴としている。
【００１０】
請求項６に記載の発明は、外部機器と接続する接続部を備える電子機器の制御方法において、前記接続部から前記外部機器への電気信号の送信結果に関する情報である送信結果情報を記憶部に蓄積する記憶工程と、前記記憶工程で蓄積した前記送信結果情報に基づいて、前記接続部に前記外部機器との前記電気信号の送信を行わせる制御工程と、を備えていることを特徴としている。
【００１１】
請求項７に記載の発明は、請求項６に記載の電子機器の制御方法を、コンピュータにより実行させることを特徴としている。
【００１２】
請求項８に記載の発明は、請求項７に記載の電子機器の制御プログラムを格納したことを特徴としている。
【図面の簡単な説明】
【００１３】
【図１】本発明の第１の実施例にかかる電子機器のブロック構成図である。
【図２】図１に示された記憶装置に記憶されている情報の構成を示した説明図である。
【図３】図１に示されたバロメータの表示例を示す説明図である。
【図４】図１に示された電子機器の動作のフローチャートである。
【図５】本発明の第２の実施例にかかる電子機器の接続形態の例を示した説明図である。
【図６】図５に示された電子機器のバロメータの表示例を示す説明図である。
【発明を実施するための形態】
【００１４】
以下、本発明の一実施形態にかかる電子機器を説明する。本発明の一実施形態にかかる電子機器は、制御部が、記憶部に蓄積されている接続部から外部機器への電気信号の送信結果に関する情報である送信結果情報に基づいて、接続部に外部機器との電気信号の送信を行わせている。このようにすることにより、蓄積された送信結果情報を利用して、外部機器が対応している電気信号（コマンド等）を選択して送信することができる。また、送信結果情報は蓄積していくために、蓄積量が増えるにしたがって、当該外部機器の接続頻度が高く様々な電子黄信号（コマンド等）の送信を行っていることと言えるので、外部機器との接続が成功する電気信号を選択する可能性を高めることができる。そのため、ユーザ等は互換性を向上させるための対策データ等を意識することなく、容易に機器間の連携動作の互換性を向上させることができる。
【００１５】
また、記憶部には、電気信号の送信が成功または失敗を示す情報が送信結果情報として蓄積されていてもよい。このようにすることにより、成功した電気信号と失敗した電気信号とを識別することができ、成功した電気信号のみを送信したり、失敗した電気信号を避けて送信するといったことができる。
【００１６】
また、記憶部には、電気信号の送信タイミングを示す情報が送信結果情報として蓄積されてもよい。このようにすることにより、送信タイミングにより電気信号の送信が成功したか失敗したかを識別することができ、電気信号の種別だけでなく、タイミングも適切にすることができるので、より互換性を向上させることができる。
【００１７】
また、記憶部が蓄積している送信結果情報の量を表示する表示部を備えていてもよい。このようにすることにより、蓄積されている送信結果情報量を視覚的に表示することができる。また、この送信結果情報の量が多いほど上述したように互換性を高めることができるので、この表示部に表示される情報は互換性の高さを示す情報ともなる。
【００１８】
また、記憶部には、外部機器の種別ごとに送信結果情報が蓄積されていてもよい。このようにすることにより、例えば、メーカー毎や機種毎などの種別ごとに情報を分別して蓄積することができる。したがって、同じ機器は勿論、同じメーカーの別機器の場合でも、そのメーカーに分類されて蓄積された送信結果に基づいて信号の送信を行わせることができる。
【００１９】
また、本発明の一実施形態にかかる電子機器の制御方法は、制御工程で、記憶工程で蓄積された接続部による外部機器との電気信号の送信結果に関する情報である送信結果情報に基づいて、接続部に外部機器との電気信号の送信を行わせている。このようにすることにより、蓄積された送信結果情報を利用して、外部機器が対応している電気信号（コマンド等）を選択して送信することができる。また、送信結果情報は蓄積していくために、蓄積量が増えるにしたがって、当該外部機器の接続頻度が高く様々な電子黄信号（コマンド等）の送信を行っていることと言えるので、外部機器との接続が成功する電気信号を選択する可能性を高めることができる。そのため、ユーザ等は互換性を向上させるための対策データ等を意識することなく、容易に機器間の連携動作の互換性を向上させることができる。
【００２０】
また、上述した電子機器の制御方法をコンピュータにより実行させる電子機器の制御プログラムとしてもよい。このようにすることにより、コンピュータを用いて、ユーザ等は互換性を向上させるための対策データ等を意識することなく、容易に機器間の連携動作の互換性を向上させることができる。
【００２１】
また、上述した電子機器の制御プログラムをコンピュータ読み取り可能な記録媒体に格納してもよい。このようにすることにより、当該プログラムを機器に組み込む以外に単体でも流通させることができ、バージョンアップ等も容易に行える。
【実施例１】
【００２２】
本発明の第１の実施例にかかる電子機器を図１乃至図４を参照して説明する。本発明の第１の実施例にかかる電子機器１０は、例えば、パーソナルコンピュータ等の情報通信機器やカーナビゲーションシステム等の車載機器、あるいはスマートフォン等の携帯機器が挙げられる。
【００２３】
電子機器１０は、通信装置１１と、連携制御部１２と、癖情報読み書き部１３と、バロメータ制御部１４と、記憶装置１５と、バロメータ１６と、処理部３０と、を備えている。
【００２４】
接続部としての通信装置１１は、後述する電子機器４０と電気的に接続してコマンド等の電気信号を送受信するインターフェースである。通信装置１１は、例えばＵＳＢやＢｌｕｅｔｏｏｔｈ（登録商標）などのインターフェース規格に沿って構成されている。
【００２５】
制御部としての連携制御部１２は、通信装置１１が電子機器４０へのコマンド等の電気信号の送信が成功したか失敗したか（電子機器４０が対応しているか否か）を判断して、その成功または失敗の情報を癖情報として癖情報読み書き部１３に記憶装置１５に記憶（蓄積）させる。つまり、癖情報とは、接続先への送信結果に関する情報である。即ち、癖情報は、外部機器への電気信号の送信結果に関する情報である送信結果情報となる。また、通信装置１１が電子機器４０と通信する際に癖情報読み書き部１３に対して記憶装置１５に格納されている癖情報を読み出してその癖情報に基づいて送信するコマンド等を決定し、通信装置１１に送信させる。即ち、蓄積されている送信結果情報に基づいて、通信装置１１に電子機器４０への電気信号の送信を行わせている。
【００２６】
癖情報読み書き部１３は、上述した癖情報を、連携制御部１２やバロメータ制御部１４からの指示に基づいて記憶装置１５に書き込んだり読み出したりする。
【００２７】
バロメータ制御部１４は、癖情報読み書き部１３が記憶装置１５から読み出した癖情報をバロメータ１６に表示させる表示情報に変換して出力する。
【００２８】
上述した連携制御部１２、癖情報読み書き部１３、バロメータ制御部１４は、ＣＰＵ（Central Processing Unit）やメモリ等を有するマイクロコンピュータ２０で動作するコンピュータプログラムとして構成されている。勿論これらのブロックはハードウェアで構成してもよい。
【００２９】
記憶部としての記憶装置１５は、例えばハードディスクや半導体メモリあるいは光ディスクなど読み書き自在な不揮発性の記憶媒体で構成されている。記憶装置１５は、癖情報読み書き部１３により癖情報が蓄積されている。そして、癖情報読み書き部１３により読み出される。
【００３０】
図２に記憶装置１５内の癖情報の蓄積例を示す。癖情報は、まず接続先から得られるメーカー識別子に基づいてメーカー毎に分類される。そして、メーカー毎の分類の中で機種識別子に基づいて機種別に分類される。さらに、機種別の分類の中でソフトウェアバージョン毎に分類される。これらの識別子等の分類情報は、例えばＵＳＢの場合は、ディスクリプタ情報に含まれ、その情報から取得する。また、例えばソフトウェアバージョンが取得できなかった場合は、機種別までの分類としてもよい。さらには、シリアル番号等の個体識別情報を取得して個体ごとに分類してもよい。即ち、癖情報（送信結果情報）は外部機器の種別ごとに送信結果情報が蓄積されている。
【００３１】
上述したように分類された癖情報は、制御コマンドの種類ごとにさらに分類される。この制御コマンドの種類とは、同じ（または類似する）機能を持ったコマンドを意味し、例えば接続先（電子機器４０）に対して音楽再生を行わせる機能を持ったコマンド、電源をオンにするコマンドなどで分類する。図２の例では、制御コマンドＡ、Ｂとして分類している。
【００３２】
そして、同じ機能のコマンドに対して接続先（電子機器４０）に実際に送信した際に対応していたか否かをコマンドごとに記憶する。図２の例では制御コマンドＡ１が非対応で制御コマンドＡ２が不明となっている。また、制御コマンドの種類が１つしかない場合もそのコマンドを実際に送信した際に対応していたか否かを記憶する。このようにして、実際の動作に応じてコマンドの対応または非対応の情報が蓄積されていく。なお、図２に示したように、「対応」または「非対応」ではなく当該コマンドを利用した連携動作が成功したか否かを意味する「成功」または「失敗」でもよい。勿論連携制御部１２において、これらの意味に解釈することが可能な数値（例えば０または１）でもよい。
【００３３】
なお、以下の説明では癖情報が蓄積される電気信号としてコマンドで説明するが、このコマンドは再生や電源オン／オフなどの電子機器４０を機能的に制御するコマンドに限らず、ＵＳＢなどの通信プロトコルに定められているコマンド等も含む。また、１本の信号線で構成される電気信号（例えばリクエスト（ＲＥＱ）信号やその応答（ＡＣＫ）信号）なども癖情報として蓄積される電気信号に含めることができる。
【００３４】
表示部としてのバロメータ１６は、バロメータ制御部１４の制御により記憶装置１５に記憶されている癖情報の量を表示する。バロメータ１６は、接続先（電子機器４０）毎に蓄積されている癖情報の量を表示する。つまり、接続された際に、メーカー識別子、機種識別子、ソフトウェアバージョンを取得して、それに合致する癖情報の量を表示する。バロメータ１６は、例えば、液晶ディスプレイ、ＥＬ（Electro Luminescence）ディスプレイ等の表示デバイスや１列に並んだ複数のＬＥＤ（発光ダイオード）等による表示で構成することができる。
【００３５】
図３にバロメータ１６の表示例を示す。図３（ａ）は癖情報の量が多い状態、図３（ｃ）は癖情報の量が少ない状態、図３（ｂ）はその中間の状態をそれぞれバーグラフで示している。癖情報は、上述したように、接続先への送信結果に関する情報であり、具体的には、図２に示したように送信したコマンドを接続先が対応していたか否かを示す情報である。この癖情報が多く蓄積されるということは、接続先の電子機器４０が接続される頻度が高く様々なコマンドの送信を行っていることとなるので、送信が成功するコマンドを選択できる可能性が高まる。したがって、このバロメータ１６に表示される情報は互換性の高さを示す情報ともなる。
【００３６】
なお、バロメータ１６は、バーグラフに限らず、例えば上限を１００、下限を０とする数値で示してもよい。または、上記したように癖情報の量＝互換性の高さとして高、中、低といった表示としてもよい。
【００３７】
処理部３０は、上記した以外の電子機器１０が有する固有な機能の処理を行う。例えばＰＣであれば、図示しないハードディスク等に記憶されているＯＳ（Operating System）やアプリケーションプログラムの処理等、カーナビゲーションシステムであれば目的地までのルート検索や案内等を行う。
【００３８】
外部機器としての電子機器４０は、電子機器１０に接続されて連携動作する機器であり、スマートフォンや携帯音楽プレーヤ等が挙げられる。電子機器４０は、通信装置４１と、処理部４２と、備えている。
【００３９】
通信装置４１は、電子機器１０と電気的に接続してコマンド等の電気信号を送受信するインターフェースである。通信装置４１は、勿論通信装置１１と同じインターフェース規格に沿ったものである。
【００４０】
処理部４２は、電子機器４０が有する機能の処理を行う。例えばスマートフォンであれば、図示しない記憶装置等に記憶されているＯＳ（Operating System）やアプリケーションプログラムの処理等、携帯音楽プレーヤであれば音楽の再生等を行う。
【００４１】
次に、上述した構成の電子機器１０の動作を図４のフローチャートを参照して説明する。図４に示したフローチャートはマイクロコンピュータ２５、即ち連携制御部１２、癖情報読み書き部１３、バロメータ制御部１４で実行される。
【００４２】
まず、ステップＳ１００において、接続先（電子機器４０）と物理的に接続してステップＳ１０１に進む。物理的に接続とは、例えばＵＳＢケーブルで互いに接続することなど、通信を開始することを可能とする状態を示している。
【００４３】
次に、ステップＳ１０１において、接続先からメーカー識別子、機種識別子、ソフトウェアバージョンの各情報を取得してステップＳ１０２に進む。
【００４４】
次に、ステップＳ１０２において、ステップＳ１０１で取得した各情報に基づいて記憶装置から接続先に該当する機器を検索してステップＳ１０３に進む。
【００４５】
次に、ステップＳ１０３において、ステップＳ１０２の検索の結果、該当する機器があったか否かを判断し、ある場合は（ＹＥＳの場合）ステップＳ１０４に進み、無い場合（ＮＯの場合）はステップＳ１０６に進む。
【００４６】
次に、ステップＳ１０４において、該当する機器の癖情報を記憶装置１５から取得して（読み出して）ステップＳ１０５に進む。
【００４７】
次に、ステップＳ１０５において、ステップＳ１０４で取得した癖情報を活用して連携動作を開始し、ステップＳ１０６に進む。例えば、接続先が携帯音楽プレーヤの場合は、音楽再生、停止などを示すコマンドを送信し、その応答として電子機器４０からの音楽データを受信して、処理部３０で再生して音楽として出力するといった動作が開始される。
【００４８】
癖情報の活用法としては、例えば次のように行う。接続先を電源をオフする機能を持ったコマンドが２種類あり、接続先である電子機器４０に対する癖情報として、電源オフコマンドａ１が非対応、電源オフコマンドａ２が不明であったとする。この場合、電源オフコマンドａ１を送信しても電子機器４０を電源オフにすることができず連携に失敗することが事前に判明しているので、別の電源オフコマンドである電源オフコマンドａ２を送信する。
【００４９】
一方、ステップＳ１０６においては、該当する機器が無かったので記憶装置１５に接続先の情報（メーカー識別子、機器識別子、ソフトウェアバージョン）を登録し、ステップＳ１０７に進む。
【００５０】
次に、ステップＳ１０７において、当該機器の癖情報は蓄積されていないので癖情報を活用せずに従来の方法で連携動作を開始する。例えば、上記した電源オフコマンドであれば、予め送信することが定められているコマンド（例えば電源オフコマンドａ１）を送信する。
【００５１】
次に、ステップＳ１０８において、連携動作が成功したか否かを判断し、成功した場合はステップＳ１０９に進み、失敗した場合はステップＳ１１０に進む。連携が成功したか否かは、例えば送信したコマンドに対する正しい応答があったか否か、つまり通信プロトコル上で定められている反応があったか否かで判断すればよい。
【００５２】
次に、ステップＳ１０９において、連携動作が成功したことを情報として記憶装置１５に登録（蓄積）する。例えば、上述した電源オフコマンドａ２が成功した場合は「不明」から「対応」に情報が書き換わる。
【００５３】
一方、ステップＳ１１０においては、連携動作が失敗したことを情報として記憶装置１５に登録（蓄積）する。例えば、上述した電源オフコマンドａ２が失敗した場合は「不明」から「非対応」に情報が書き換わる。
【００５４】
上述した説明から明らかなように、ステップＳ１０９、Ｓ１１０が記憶工程、ステップＳ１０５が制御工程に相当する。
【００５５】
なお、図４に示したフローチャートでは、１つのコマンド（あるいは連携動作）の結果を蓄積する例を示したが、この後も連携動作が継続する場合は、ステップＳ１０４、Ｓ１０５、Ｓ１０８〜Ｓ１１０を繰り返す。
【００５６】
また、図４に示したフローチャートでは、該当する機器が記憶装置１５にある場合、つまり、メーカー識別子、機種識別子、ソフトウェアバージョンが一致した場合に癖情報を活用していたが、例えば、ソフトウェアバージョンが一致しなくてもメーカー識別子、機種識別子が一致した場合は、癖情報を活用してもよい。この場合、例えば全てのソフトウェアバージョンの癖情報のコマンドについて活用すればよい。勿論、メーカー識別子のみが一致した場合で上記と同様に癖情報を活用してもよい。このようにすることにより、蓄積した癖情報を広く活用することができ、様々な機器との連携動作が成功する確率を高くすることができる。つまり、より多くの機器について互換性を高めることができる。
【００５７】
本実施例によれば、電子機器１０において、記憶装置１５にコマンド送信の結果接続先が対応しているか否かが記憶されている癖情報を蓄積しておき、連携制御部１２が、記憶装置１５に蓄積されている電子機器４０の癖情報に基づいて、通信装置１１に電子機器４０との連携動作を行わせている。このようにすることにより、蓄積された癖情報を利用して、電子機器４０が対応しているコマンドを選択して送信することができる。したがって、ユーザ等は互換性を向上させるための対策データ等を意識することなく、容易に機器間の連携動作の互換性を向上させることができる。
【００５８】
また、記憶装置１５には、癖情報として、接続先に送信可能なコマンドの送信が成功または失敗を示す情報を対応または非対応として蓄積されていているので、成功したコマンドと失敗したコマンドとを識別することができ、成功したコマンドのみを送信したり、失敗したコマンドを避けて送信するといったことができる。
【００５９】
また、記憶装置１５が蓄積している癖情報の量を表示するバロメータ１６を備えているので、蓄積されている癖情報の量を視覚的に表示することができる。また、癖情報の量が多いほど当該電子機器４０の接続頻度が高く様々なコマンドの送信を行っていることとなるので、送信が成功する信号を選択できる可能性が高まる。したがって、この癖情報に表示される情報は互換性の高さを示す情報ともなる。
【００６０】
また、記憶装置１５には、メーカー識別子や機種識別子ごとに癖情報が蓄積されているので、メーカー毎や機種毎などに癖情報を分別して蓄積することができる。
【００６１】
なお、図２や図４に示した例では癖情報として当該コマンドが接続相手が対応か非対応かを示しているのみであったが、コマンドの送信タイミングを癖情報として蓄積するようにしてもよい。送信タイミングとは、例えば、接続先からのコマンドの受信から自身がコマンドを送信するまでの間隔、あるいは自身が前に送信したコマンドから次のコマンドを送信するまでの間隔などである。これらの間隔も癖情報として蓄積することで、非対応だった場合に次回の接続時は送信タイミングを規格等で許されている範囲内で変更することで当該コマンドを対応とする可能性を持たせることができる。したがって、コマンドの種別だけでなく、タイミングも適切にすることができるので、より互換性を向上させることができる。
【００６２】
また、コマンドに対する接続先からの応答待ち時間を癖情報として蓄積してもよい。応答待ち時間とは、送信したコマンドに対して応答があるまでの時間または、予め設定しているタイムアウト時間まで応答が無い場合はタイムアウト時間となる。つまり、タイムアウト時間までに応答があれば当該コマンドは対応となり応答時間も合わせて癖情報に蓄積し、タイムアウト時間まで応答がない場合は非対応とし、タイムアウト時間も合わせて癖情報に蓄積する。そして、非対応だった場合に次回の接続時はタイムアウト時間を規格等で許されている範囲内で変更することで当該コマンドを対応とする可能性を持たせることができる。したがって、コマンドの種別だけでなく、より互換性を向上させることができる。
【００６３】
また、図１に示した構成では、電子機器１０のみが癖情報を蓄積し、バロメータ１６を備えていたが、電子機器４０も同じ構成としてもよい。要するに互いに接続されている機器のいずれか一方が図１に示した構成を備えていればよい。
【実施例２】
【００６４】
次に、本実施例の第２の実施例にかかる電子機器を図５および図６を参照して説明する。なお、前述した第１の実施例と同一部分には、同一符号を付して説明を省略する。
【００６５】
本実施例は、複数の外部機器が接続された場合のバロメータ１６の表示例である。例えば、図５に示したように、電子機器１０に複数の電子機器Ｂ、Ｃ、Ｄが同時に接続された場合、図６に示しように、それぞれに対応したバロメータが並べて同時に表示される。なお、この構成の場合、通信装置１１が複数設けている。そのため、記憶装置１５を複数の通信装置１１で共有することができるので癖情報も共有することができる。
【００６６】
本実施例によれば、複数の電子機器が同時に接続されている際に、バロメータ１６にはそれらの癖情報の量が同時に表示することができるので、接続機器の互換性を同時に確認することができる。
【００６７】
また、本発明は上記実施例に限定されるものではない。即ち、当業者は、従来公知の知見に従い、本発明の骨子を逸脱しない範囲で種々変形して実施することができる。かかる変形によってもなお本発明の電子機器の構成を具備する限り、勿論、本発明の範疇に含まれるものである。
【符号の説明】
【００６８】
１１      通信装置（接続部）
１２      連携制御部（制御部）
１３      癖情報読み書き部
１４      バロメータ制御部
１５      記憶装置（記憶部）
１６      バロメータ（表示部）
４０      電子機器（外部機器）
【図１】
2015130020.tif 000003
【図２】
2015130020.tif 000004
【図３】
2015130020.tif 000005
【図４】
2015130020.tif 000006
【図５】
2015130020.tif 000007
【図６】
2015130020.tif 000008